(57)【特許請求の範囲】
【請求項１】
防水構造を備えた筐体（３，３０３）に、少なくとも一つの呼吸フィルタ（２，２０２）が取り付けられてなる電子制御装置であって、
前記筐体には、当該筐体外に構成される外部空間側から当該筐体内に構成される内部空間側へと続く孔部（５，３０５）が形成されており、
前記呼吸フィルタは、
筒状に構成され且つ内部が通気路（３８，２３８）として構成された筒状部（３４，２３４）と、前記筒状部の一端側に形成された被係合部（４０，２４０）と、前記筒状部の他端側において当該筒状部の外周面（３４ａ，２３４ａ）よりも張り出した形で形成された張出部（３２，２３２）と、を備え、前記筐体の内側から前記孔部に対して前記筒状部を挿し通す構造で配置されるフィルタ本体部（３０，２３０）と、
前記筒状部の一端側において前記通気路を閉塞した構成で取り付けられる撥水膜（５０）と、
前記撥水膜を覆う被覆部（１２，２１２）と、前記被覆部から延び出た構成をなす延出部（２０，２２０）と、前記延出部と一体的に形成されると共に前記フィルタ本体部の前記被係合部と係合する係合部（２２，２２２）と、を備え、前記係合部と前記被係合部との係合によって前記フィルタ本体部に組み付けられるフィルタカバー部（１０，２１０）と、
環状に構成された防水シール（７）と、
を有し、
前記筐体の内側から前記孔部に挿し込まれた前記フィルタ本体部に対して前記フィルタカバー部が前記外部空間側から組み付けられ、前記フィルタ本体部又は前記フィルタカバー部の少なくともいずれかからなる押圧部（２４，２４２）が前記筐体の外面部によって支持され、前記防水シールが、前記筒状部を囲みつつ前記筐体の内面部（３ｂ）と前記張出部との間に挟み込まれた状態で保持されることを特徴とする電子制御装置（１，２０１，３０１）。
【請求項２】
前記被係合部（４０）は前記筒状部（３４）の外周面（３４ａ）よりも凹んだ凹部（４０ａ，４０ｂ，４０ｃ）として構成されており、
前記フィルタ本体部（３０）に対して前記フィルタカバー部（１０）が組み付けられた状態において、当該フィルタカバー部の一部が前記押圧部（２４）として前記筐体（３，３０３）を外側から押圧し、当該押圧部と前記張出部（３２）との間に前記筐体と前記防水シール（７）とが挟み込まれて保持されることを特徴とする請求項１に記載の電子制御装置（１，３０１）。
【請求項３】
前記筒状部（３４）の方向を上下方向とし、前記撥水膜（５０）が配置される側を上側とし、前記張出部（３２）が配置される側を下側とした場合において、
前記筐体（３０３）は、前記孔部（３０５）の上端部に隣接すると共に前記押圧部（２４）からの押圧を受ける支持部（３０４ａ）と、前記支持部の周囲において当該支持部よりも上位置に配置される上段部（３０４ｂ）と、を備え、前記支持部の上面と、前記上段部の上面とが段差状に構成されていることを特徴と請求項１又は請求項２に記載の電子制御装置（３０１）。
【請求項４】
前記筒状部（３４，２３４）の方向を上下方向とし、前記撥水膜（５０）が配置される側を上側とし、前記張出部（３２，２３２）が配置される側を下側とした場合において、
前記筒状部は、前記筐体（３，３０３）の上面部（３ａ，３０３ａ）における前記被覆部（１２，２１２）の直下領域よりも上方に突出しており、
前記撥水膜は、前記筐体（３，３０３）の上面部（３ａ，３０３ａ）における前記被覆部（１２，２１２）の直下領域よりも上位置に配置されていることを特徴とする請求項１から請求項３のいずれか一項に記載の電子制御装置（１，２０１，３０１）。
【発明の詳細な説明】
【技術分野】
【０００１】
本発明は、電子制御装置に関するものである。
【背景技術】
【０００２】
車載用の分野では、通気性と防水性を両立した電子制御装置が提供されている。例えば、特許文献１の電子制御装置では、防水筐体に形成された挿入孔内に呼吸フィルタのパイプが挿し通されており、パイプ内の通気孔が気体経路となっている。そして、この通気孔を覆うように撥水膜が取り付けられており、通気孔を介しての気体の流入や流出は可能であるが、水などの液体は流入しない構造となっている。また、通気孔だけでなくその外側の隙間（筐体の挿入孔と呼吸フィルタとの間の隙間）からも液体が流入しないように、呼吸フィルタに形成されたフランジ状の座面部と筐体外面との間に防水シールを介在させており、これにより隙間からの液体の流入をも遮断している。
【先行技術文献】
【特許文献】
【０００３】
【特許文献１】特開２００８−７８５０６号公報
【特許文献２】特開２０１１−１６５７４８号公報
【発明の概要】
【発明が解決しようとする課題】
【０００４】
ところで、近年では、呼吸フィルタに対する要求が厳しくなってきており、特に、強い外力に耐えうる構造が求められている。例えば、高圧洗浄機の流通が進展している等の諸事情により、電子制御装置の筐体外面には、水等の液体が強い力で当たる可能性が高まっており、呼吸フィルタでは、このような高水圧環境下でも防水性が維持される構造が要求される。しかしながら、既存の呼吸フィルタは、隙間からの流入を防ぐための防水シールを筐体の外側に配置しており、防水シールやその近傍部分からなるシール構造が外部に晒されてしまう構造であったため、シール構造に対して外的な力（例えば、高圧洗浄機による高水圧など）が直接的に加わりやすいという問題があった。
【０００５】
例えば、特許文献１の呼吸フィルタでは、呼吸フィルタ５０に形成された座面部５３と筐体外面（固定用平坦部６１の上面）との間に防水シール（Ｏリング７０）を挟み込んで密着させることで、挿入孔６３の内壁面とパイプ５５の外壁面との間に生じる微小な隙間に液体を流入させないようにしている。しかしながら、この構造では、防水シール（Ｏリング７０）や座面部５３が外部に晒されるため、これらに対して高圧水などの外力が直接的に加わる可能性があり、このような外力が強く加わると、防水シールや座面部付近に変形や変位が生じる虞がある。そして、このような変形や変位が生じると、防水シールが座面部や筐体外面と十分に密着しない状態となってしまい、密着性が低下した部分から筐体内に液体が流入してしまうことになる。
【０００６】
本発明は、上述した課題を解決するためになされたものであり、呼吸フィルタ付近に外力が加わり易い環境下でも防水機能が十分に発揮されやすい構成を提供することを目的とする。
【課題を解決するための手段】
【０００７】
防水構造を備えた筐体（３，３０３）に、少なくとも一つの呼吸フィルタ（２，２０２）が取り付けられてなる電子制御装置であって、
前記筐体には、当該筐体外に構成される外部空間側から当該筐体内に構成される内部空間側へと続く孔部（５，３０５）が形成されており、
前記呼吸フィルタは、
筒状に構成され且つ内部が通気路（３８，２３８）として構成された筒状部（３４，２３４）と、前記筒状部の一端側に形成された被係合部（４０，２４０）と、前記筒状部の他端側において当該筒状部の外周面（３４ａ，２３４ａ）よりも張り出した形で形成された張出部（３２，２３２）と、を備え、前記筐体の内側から前記孔部に対して前記筒状部を挿し通す構造で配置されるフィルタ本体部（３０，２３０）と、
前記筒状部の一端側において前記通気路を閉塞した構成で取り付けられる撥水膜（５０）と、
前記撥水膜を覆う被覆部（１２，２１２）と、前記被覆部から延び出た構成をなす延出部（２０，２２０）と、前記延出部と一体的に形成されると共に前記フィルタ本体部の前記被係合部と係合する係合部（２２，２２２）と、を備え、前記係合部と前記被係合部との係合によって前記フィルタ本体部に組み付けられるフィルタカバー部（１０，２１０）と、
環状に構成された防水シール（７）と、
を有し、
前記筐体の内側から前記孔部に挿し込まれた前記フィルタ本体部に対して前記フィルタカバー部が前記外部空間側から組み付けられ、前記フィルタ本体部又は前記フィルタカバー部の少なくともいずれかからなる押圧部（２４，２４２）が前記筐体の外面部によって支持され、前記防水シールが、前記筒状部を囲みつつ前記筐体の内面部（３ｂ）と前記張出部との間に挟み込まれた状態で保持されることを特徴とする。
【発明の効果】
【０００８】
請求項１の発明では、筐体に形成された孔部に対して、筐体の内側から筒状部を挿し通す構造でフィルタ本体部が取り付けられ、筒状部の通気路を閉塞した構成で撥水膜が取り付けられている。このような構造により、通気路を介した気体の流入及び流出を可能とし、通気路内への液体の流入を抑制するような基本的機能を実現している。
そして、このように筐体の内側から孔部に挿し込まれたフィルタ本体部に対してフィルタカバー部が外部空間側から組み付けられ、フィルタ本体部又はフィルタカバー部の少なくともいずれかからなる押圧部が筐体の外面部によって支持され、防水シールが、筒状部を囲みつつ筐体の内面部と張出部との間に挟み込まれた状態で保持されるようになっている。
この構成では、防水シールとその近傍部分とによって構成されるシール構造（即ち、防水シール、筐体内面部、張出部など）を筐体内に配置し、筐体内で安定的に保持することができる。このため、仮に筐体の外側から呼吸フィルタ付近に対して強い外力（例えば、高圧水など）が加わっても、その外力による影響は、筐体内の奥位置にあるシール構造には及びにくくなり、外力によって防水シールやその近傍部分が大きく変形してしまうことを確実に抑えることができる。ゆえに、呼吸フィルタ付近に外力が加わり易い環境下でも防水シール付近での液体の漏洩をより確実に防ぐことができ、このような環境下でも防水機能が十分に発揮されやすくなる。
【図面の簡単な説明】
【０００９】
【図１】図１は、第１実施形態に係る電子制御装置の要部を概略的に示す断面図である。
【図２】図２は、図１の電子制御装置の一部を分解して概略的に示す分解斜視図である。
【図３】図３は、図１の電子制御装置における呼吸フィルタ付近を概略的に示す平面図である。
【図４】図４（Ａ）は、図１の電子制御装置において呼吸フィルタ付近に水がかかったときの水の流れ等を説明する説明図であり、図４（Ｂ）は、筐体外面に付着した水滴を概念的に説明する説明図である。
【図５】図５は、第２実施形態に係る電子制御装置の要部を概略的に示す断面図である。
【図６】図６は、図５の電子制御装置の一部を分解して概略的に示す分解斜視図である。
【図７】図７は、第３実施形態に係る電子制御装置の要部を概略的に示す断面図である。
【図８】図８は、比較例となる電子制御装置の要部を概略的に示す断面図である。
【図９】図９は、図８の電子制御装置において呼吸フィルタ付近に強い外力が加わったときの変形の様子を説明する説明図である。
【発明を実施するための形態】
【００１０】
[第１実施形態]
以下、本発明を具現化した第１実施形態について、図１〜図４等を参照して説明する。
図１〜図４で示す電子制御装置１は、例えばエンジンＥＣＵ（Electric Control Unit）などの車両用電子制御装置として構成されており、箱状の筐体３の内部に実装基板（図示略）が収容された構造となっている。なお、図１は、図３のＡ−Ａ位置の断面を概略的に示すものである。
【００１１】
筐体３の内部に収容される実装基板（回路構成体）は、積層構造の回路基板においてマイコン、抵抗、トランジスタ、その他のＩＣ等の各種電子部品が実装され、電子回路が構成されたものである。回路基板は、一般的な積層基板の形成方法によって製造された多層基板として構成されており、一端側には外部との電気的接続を行うためのコネクタが取り付けられている。なお、図１〜図４では、筐体３については、一部（呼吸フィルタ２の近傍）のみを概念的に示しており、筐体３の内部に収容される回路基板やコネクタなどは省略して示している。
【００１２】
筐体３は、アルミダイカストなどの公知の金属材料によって構成され、例えば、一方が開放した箱状の第１ケース体（ベース体）と、この第１ケース体の開口を閉塞する板状の第２ケース体（カバー体）とによって構成され、第１ケース体を第２ケース体によって閉塞するような箱状の構造となっている。また、筐体３の一部には、上述したコネクタ（図示略）を露出させるための開口部が形成されており、コネクタは、この開口部に嵌り込んだ状態で一部を外部に露出させた構成となっている。更に、第１ケース体と第２ケース体とが接触する部位、第１ケース体とコネクタとが接触する部位、第２ケース体とコネクタとが接触する部位には、シール材が設けられている。このように、第１ケース体と第２ケース体との間、第１ケース体とコネクタとの間、第２ケース体とコネクタとの間をシール材によって埋めるような防水構造を採用することで、２つのケース体の間や、ケース体とコネクタの間を通って水等の液体が筐体３の内部に入り込むことを防いでいる。なお、ここで説明した筐体３の基本構造はあくまで一例であり、防水性を備えた筐体としては、車両用の電子制御装置で用いられている様々な構造を用いることができる。
【００１３】
筐体３の一部には、孔部５が形成されている。この孔部５は、筐体３の外側に構成される外部空間側から筐体３の内側に構成される内部空間側へと続く貫通孔として構成されており、筐体３の壁体を貫通した構成となっている。なお、筐体３での孔部５の形成位置は特に限定されず、上述した例のように、第１ケース体（ベース体）と第２ケース体（カバー体）とが連結されて筐体３が形成されている場合には、孔部５は、第１ケース体（ベース体）に形成されていてもよく、第２ケース体（カバー体）に形成されていてもよい。そして、このように形成された孔部５に挿入される形で呼吸フィルタ２が取り付けられている。
【００１４】
ここで、呼吸フィルタ２について説明する。この呼吸フィルタ２は、筐体３の通気性と防水性を両立するために設けられたものであり、主に、フィルタ本体部３０と、フィルタカバー部１０と、撥水膜５０と、防水シール７とによって構成されている。
【００１５】
図１、図２で示すように、フィルタ本体部３０は、筒状部３４と、被係合部４０と、張出部３２とを備えている。筒状部３４は、円筒状に構成されると共に内部（筒内）が通気路３８として構成された部分である。この筒状部３４は、全体が円筒体として構成され且つ外周部に凹部４０ａ，４０ｂ，４０ｃが形成されたものである。筒状部３４の外周面３４ａのうち、凹部４０ａ，４０ｂ，４０ｃ以外の領域は、中心軸Ｃを円筒軸とした円筒面として構成されている。また、筒状部３４の内周面３４ｂ（内壁面）は、中心軸Ｃを円筒軸とした円筒面として構成されており、通気路３８の上端部から下端部まで全体に亘って円筒面が構成されている。
【００１６】
図２、図３で示すように、被係合部４０は、筒状部３４における上端側の複数位置（例えば三位置）に形成されており、後述するフィルタカバー部１０の各係合部２２と係合するように機能する。具体的には、筒状部３４の外周面３４ａよりも中心軸Ｃ側に凹んだ構成をなす各凹部４０ａ，４０ｂ，４０ｃが被係合部４０として機能している。凹部４０ａ，４０ｂ，４０ｃはいずれも、後述する張出部３２の上面３２ａから所定高さの位置に形成されており、この所定高さにおいて凹部４０ａ，４０ｂ，４０ｃが周方向に並んでいる。これら凹部４０ａ，４０ｂ，４０ｃはいずれも、凹部内の上端面が下方側に面する水平面となっており、図１のような組付け状態のときには、凹部４０ａ，４０ｂ，４０ｃの各上端面は、後述する各係合部２２（突起状の各係合部２２ａ，２２ｂ，２２ｃ）の各上端面と上下に向かい合うように配置される。また、凹部４０ａ，４０ｂ，４０ｃはいずれも、上位置になるにつれて外周面３４ａからの深さが深くなるような穴構造となっており、凹部４０ａ，４０ｂ，４０ｃの各々の底面（筒状部３４の筒の厚さ方向を深さ方向としたときの底面）は、上位置になるにつれて中心軸Ｃに近づくようなテーパ面（具体的には、上下方向に対して傾斜した傾斜面）となっている。
【００１７】
図２で示すように、張出部３２は、筒状部３４の他端側（下端側）において筒状部３４の外周面３４ａよりも半径方向外側に張り出した形で形成されている。この張出部３２は、筒状部３４の下端部において外周面３４ａに連結された形でフランジ状に設けられており、外縁部が平面視円形状に構成されている。また、張出部３２は、上下方向を板厚方向とする円板状に構成されており、張出部３２の上面３２ａは平坦面となっている。
【００１８】
なお、本構成では、フィルタ本体部３０に形成された筒状部３４が延びる方向（通気路３８の方向）が上下方向であり、図１等で示す例では、中心軸Ｃ（円筒軸）の方向が上下方向となっている。また、この上下方向と直交する平面方向を水平方向としており、張出部３２の上面３２ａの向き（即ち、平坦面の面方向）は、水平方向となっている。
【００１９】
このように構成されるフィルタ本体部３０の筒状部３４には、図１のように撥水膜５０が取り付けられる。この撥水膜５０は、筒状部３４の一端側（上端側）において通気路３８を閉塞するように配置されるものであり、図１の例では、筒状部３４の上端部３４ｃに取り付けられ、筒状部３４の上端に形成された開口（通気路３８の上端の開口）を塞ぐように撥水膜５０が配置されている。この撥水膜５０は、気体を通過させ、液体の通過を遮断するような公知の撥水膜によって構成されており、例えば、繊維材に撥水加工が施されることで通気性と防水性とを備えたシート部材として構成されている。なお、図２では、撥水膜５０の図示を省略している。
【００２０】
そして、図１のように、フィルタ本体部３０の筒状部３４を囲む構成で防水シール７が配置される。図２のように、防水シール７は、公知の柔軟材料からなるＯリングとして環状に構成されている。そして、図１のような組付け状態では、防水シール７は、上述した筒状部３４を囲むように筒状部３４の外周面３４ａに沿って配置され、フィルタ本体部３０の張出部３２と筐体３の内面部３ｂとの間に挟み込まれた状態で保持される。
【００２１】
図１、図２で示すように、フィルタカバー部１０は、被覆部１２と、複数の延出部２０と、各延出部２０に形成された係合部２２と、を備えている。被覆部１２は、撥水膜５０の上方を覆う円板状の部分であり、図１のように、上下方向を板厚方向とするように配置される。この被覆部１２は、上面１２ａも下面１２ｂも平坦面として構成されており、これら上面１２ａ、下面１２ｂのいずれも、面方向を水平方向とする水平面となっている。また、被覆部１２の外縁部は、図３のように平面視円形状となっており、この被覆部１２の直下領域に撥水膜５０の全体が隠されるような大きさとなっている。このように撥水膜５０の上方を覆うように被覆部１２を配置することで、撥水膜５０に対する上方側からの直接的の被水を防いでいる。
【００２２】
図２で示すように、被覆部１２には複数の延出部２０が連結されている。具体的には、被覆部１２の下面１２ｂから下方に延び出た構成をなす３つの延出部２０ａ，２０ｂ，２０ｃが延出部２０として機能している。そして、３つの延出部２０ａ，２０ｂ，２０ｃのいずれも、図１のような組付け時に、筒状部３４の外周面３４ａに隣接して配置されるように構成されている。図１、図２のように、延出部２０ａ，２０ｂ，２０ｃには、被覆部１２の下面１２ｂから下方側に延びる板状の下方延出部２１ａ，２１ｂ，２１ｃがそれぞれ形成されている。これら下方延出部２１ａ，２１ｂ，２１ｃはいずれも、筒状部３４の半径方向を厚さ方向とするような板状形態をなし、筒状部３４側の板面が上下方向に延びた構成となっている。そして、各下方延出部２１ａ，２１ｂ，２１ｃの各板面は、筒状部３４の外周面３４ａと接触或いは近接するように対向して配置される。このように、各下方延出部２１ａ，２１ｂ，２１ｃの各板面が筒状部３４の外周面３４ａと対向して配置されるため、筒状部３４の半径方向への相対移動（即ち、フィルタカバー部１０に対する水平方向の相対移動）が規制され、筒状部３４の上端部付近は下方延出部２１ａ，２１ｂ，２１ｃによって囲まれる領域で保持されることになる。
【００２３】
また、図２で示すように、各延出部２０と一体的に各係合部２２が形成されている。例えば、延出部２０ａと一体的に係合部２２ａが形成され、延出部２０ｂと一体的に係合部２２ｂが形成され、延出部２０ｃと一体的に係合部２２ｃが形成されている。これら係合部２２（係合部２２ａ，２２ｂ，２２ｃ）は、フィルタ本体部３０の筒状部３４に形成された各被係合部４０（凹部４０ａ，４０ｂ，４０ｃ）と係合する部分であり、中心軸Ｃ側に突出した突起として構成されている。
【００２４】
例えば、係合部２２ａは、上下に延びる下方延出部２１ａの一方面（中心軸Ｃ側の面）よりも中心軸Ｃ側に突出した突起として構成されており、上端部には、水平方向の上端面が構成されている。そして、図１のような組付け状態のときには、突起状の係合部２２ａが凹部４０ａの内部に嵌り込み、係合部２２ａの上端面と、凹部４０ａの上端面とが上下に向かい合うようになっている。このように上端面が対向して配置されることで、係合部２２ａが上方に移動しないように規制される。同様に、係合部２２ｂは、上下に延びる下方延出部２１ｂの一方面（中心軸Ｃ側の面）よりも中心軸Ｃ側に突出した突起として構成されており、上端部には、水平方向の上端面が構成されている。そして、図１のような組付け状態のときには、突起状の係合部２２ｂが凹部４０ｂの内部に嵌り込み、係合部２２ｂの上端面と、凹部４０ｂの上端面とが上下に向かい合うようになっている。このように上端面が対向して配置されることで、係合部２２ｂが上方に移動しないように規制される。また、係合部２２ｃは、上下に延びる下方延出部２１ｃの一方面（中心軸Ｃ側の面）よりも中心軸Ｃ側に突出した突起として構成されており、上端部には、水平方向の上端面が構成されている。そして、図１のような組付け状態のときには、突起状の係合部２２ｃが凹部４０ｃの内部に嵌り込み、係合部２２ｃの上端面と、凹部４０ｃの上端面とが上下に向かい合うようになっている。このように上端面が対向して配置されることで、係合部２２ｃが上方に移動しないように規制される。以上のような係合により、フィルタカバー部１０がフィルタ本体部３０に組み付けられることになる。
【００２５】
ここで、呼吸フィルタ２の組付け構造について詳述する。
呼吸フィルタ２を筐体３に組み付ける場合、まず、筐体３の内側から孔部５に対して筒状部３４を挿し通すようにフィルタ本体部３０が配置される。具体的には、フィルタ本体部３０に形成された筒状部３４の上端部側が筐体３の上面部３ａよりも上方に突出し、筒状部３４に形成された各被係合部４０（凹部４０ａ，４０ｂ，４０ｃ）が孔部５の上端部よりも上方位置に配置される。そして、このように筐体３の内側から孔部５に挿し込まれたフィルタ本体部３０に対してフィルタカバー部１０が外部空間側から組み付けられる。具体的には、孔部５の上端部よりも上方位置に配置された凹部４０ａ，４０ｂ，４０ｃに対して各延出部２０ａ，２０ｂ，２０ｃに形成された突起状の係合部２２ａ，２２ｂ，２２ｃが嵌め込まれ、フィルタカバー部１０がフィルタ本体部３０に固定される。なお、各延出部２０ａ，２０ｂ，２０ｃは、弾性的な撓み変形が可能な爪構造であり、先端側が揺動し得る構造となっている。但し、外的な操作がなされていない組付け状態では、図１のように筒状部３４に密着或いは近接した状態で維持されるようになっている。
【００２６】
図１のようにフィルタ本体部３０に対してフィルタカバー部１０が組み付けられた状態では、フィルタカバー部１０の一部をなす各押圧部２４が筐体３の上面部３ａによって支持され、上面部３ａを外側から押圧するように作用する。本構成では、フィルタカバー部１０に形成された３つの延出部２０ａ，２０ｂ，２０ｃの先端部２４ａ，２４ｂ，２４ｃが押圧部２４として機能しており、３つの延出部２０ａ，２０ｂ，２０ｃの先端部２４ａ，２４ｂ，２４ｃが筐体３の上面部３ａに接触した状態で支持されるようになっている。この状態では、フィルタカバー部１０の下端部（延出部２０ａ，２０ｂ，２０ｃの先端部２４ａ，２４ｂ，２４ｃ）が筐体３の上面部３ａによって支持されるため、フィルタカバー部１０の下方側への相対移動が規制される。更に、フィルタカバー部１０に形成された各係合部２２ａ，２２ｂ，２２ｃの上端面が各凹部４０ａ，４０ｂ，４０ｃの上端面によって下方側へ押さえつけられるため、フィルタカバー部１０の上方側への相対移動も規制されることになる。
【００２７】
また、図１のような組付け状態では、筐体３の外側に配置された複数の押圧部２４（先端部２４ａ，２４ｂ，２４ｃ）と、筐体３の内側に配置された張出部３２との間に筐体３の壁部と防水シール７とが挟み込まれて保持されるようになっている。具体的には、筐体３の内面部３ｂと張出部３２との間に防水シール７が挟み込まれ、図１のように防水シール７が圧縮された状態で保持される。図１のように防水シール７が圧縮状態で保持されているときには、防水シール７の上部と筐体３の内面部３ｂとが密着し、防水シール７の下部と張出部３２の上面３２ａとが密着するようになっている。また、防水シール７の内周部は、筒状部３４の外周面３４ａと密着するようになっており、このような３位置での密着によって強固にシールされることとなる。
【００２８】
また、図１のような組付け状態では、圧縮状態となった防水シール７の下方側に張出部３２が接触しており、張出部３２には、常に、防水シール７によって下方側に押し出す力が作用するようになっている。このため、フィルタ本体部３０に対しては、全体を下方側に押下げようとする付勢力が常に生じている。そして、フィルタカバー部１０は、この力を係合部２２ａ，２２ｂ，２２ｃの上面部によって受けているため、上記付勢力に起因する力（下方へ押し下げようとする力）がフィルタカバー部１０にも働き、押圧部２４（先端部２４ａ，２４ｂ，２４ｃ）が筐体３の上面部３ａに強く押し付けられることになる。
【００２９】
このように呼吸フィルタ２が筐体３に固定されることにより、筐体３の内側に構成される内部空間の気圧と、外側に構成される外部空間の気圧とが略同程度となるように機能する。また、電子制御装置１が車両のエンジンＥＣＵなどに適用されるような場合、筐体３内の回路基板に気圧センサが搭載されることが多い。このように気圧センサが搭載される場合、呼吸フィルタ２の存在によって筐体３の内側の気圧と外側の気圧とが略同程度とされるため、筐体内の気圧センサが筐体外の気圧を高精度に検出できるようになる。
【００３０】
以上のように、本構成では、筐体３に形成された孔部５に対して、筐体３の内側から筒状部３４を挿し通す構造でフィルタ本体部３０が取り付けられ、筒状部３４の通気路３８を閉塞した構成で撥水膜５０が取り付けられている。このような構造により、通気路３８を介した気体の流入及び流出を可能とし、筐体外から通気路内への液体の流入を抑制するような基本的機能を実現している。
【００３１】
そして、このように筐体３の内側から孔部５に挿し込まれたフィルタ本体部３０に対して外部空間側に配置されたフィルタカバー部１０が組み付けられ、この組み付け状態において、フィルタ本体部３０又はフィルタカバー部１０の一部からなる押圧部（図１等の例では、フィルタカバー部１０の一部からなる押圧部２４）が筐体３の外面部側を押圧し、筐体３の内面部と張出部３２との間に防水シール７が挟み込まれた状態で保持されるようになっている。
【００３２】
つまり、防水シール７とその近傍部分とによって構成されるシール構造（即ち、防水シール７、筐体３の内面部、張出部３２）が筐体３の内部空間側に配置されているため、仮に筐体３の外側から呼吸フィルタ２の近傍に対して強い外力（例えば、高圧水など）が加わっても、その外力は、筐体３の内部の奥位置にあるシール構造には直接的に加わらなくなる。よって、外力によって防水シール７やその近傍部分が大きく変形してしまうことを確実に抑えることができる。ゆえに、呼吸フィルタ２の付近に外力が加わり易い環境下（例えば、高圧洗浄機による洗浄水が及びうる環境など）でも防水シール７の付近での液体の漏洩をより確実に防ぐことができ、このような環境下でも防水機能が十分に発揮されやすくなる。
【００３３】
特に近年では、出力の大きな高圧洗浄機が広がってきており、例えば、エンジンルームなどに配置される部品などでは、高圧水に耐えうる構成など、防水性についての要求が高まっているという事情がある。本構成の電子制御装置１は、このような要望に十分に対応し得る構造であり、エンジンＥＣＵとして用いれば、より有用である。勿論、エンジンルーム以外の他の場所に適用してもよい。
【００３４】
ここで、比較例と対比して本構成の効果を詳細に説明する。図８には、図１等で示す電子制御装置１と比較するための比較例を示している。図８で示す比較例の電子制御装置１００は、第１実施形態で用いた筐体３と同様の筐体１０３が用いられ、この筐体１０３の孔部１０５に対して、呼吸フィルタ１０２が取り付けられている。この呼吸フィルタ１０２は、孔部１０５に挿し込まれるパイプ部１３４と、このパイプ部１３４の上端部から張り出す座面部１１４と、撥水膜１５０を覆うカバー部１１２と、カバー部１１２と座面部１１４を連結する連結部１１６と、が一体的に連結されてフィルタ本体１１０が構成されている。そして、パイプ部１３４の内部の通気路を塞ぐ形で撥水膜１５０が取り付けられ、パイプ部１３４の上端部付近において座面部１１４と筐体１０３の上面部１０３ａとの間にはＯリング１０７が挟み込まれている。更に、パイプ部１３４の下端部には爪部１２０ａ，１２０ｂが形成されており、これらの爪部１２０ａ，１２０ｂは、孔部１０５の下端部付近において筐体１０３の内面部１０３ｂに引っ掛かるようになっている。この構成では、筐体１０３の外側から孔部１０５に対してパイプ部１３４を挿し込むと共に、爪部１２０ａ，１２０ｂを孔部１０５の下端部に係合させるようにフィルタ本体１１０が取り付けられ、取付時には、図８のように、筐体１０３の上面部１０３ａと、座面部１１４との間においてＯリング１０７が圧縮状態で保持される。このような通常時には、Ｏリング１０７が座面部１１４、パイプ部１３４、筐体１０３の上面部１０３ａと接触し、位置Ｐ１，Ｐ２，Ｐ３にてそれぞれ密着することになる。従って、筐体１０３の外側から、パイプ部１３４と孔部１０５の間の隙間に水等が流入することを防ぐことができる。しかしながら、この構成では、高圧洗浄機などによる高圧水が座面部１１４付近やカバー部１１２付近に強く当たってしまうと、図９のように、座面部１１４やパイプ部１３４の付近で変形や変位が生じ、Ｏリング１０７が本来接触すべき部分に接触しなくなる懸念がある。なお、図９では、高圧水が直接的にカバー部１１２に当たることによる作用（上位置の白抜き矢印で示すような直接作用）や、高圧水が筐体１０３の上面部１０３ａで跳ね返って座面部１１４を突き上げるような作用（下位置の白抜き矢印で示すような噴き返し作用）によって座面部１１４やパイプ部１３４の付近で変形や変位が生じた状態を示している。このような変形や変位が生じ、図９のように、Ｏリング１０７と座面部１１４の間、Ｏリング１０７と筐体１０３の間、Ｏリング１０７とパイプ部１３４の間に隙間が生じると、このような隙間から高圧水などが流入してしまうことになる（図９で示すＡ１，Ａ２，Ａ３の隙間を参照）。このような比較例の構造と比較すると、本構成では、図１のように筐体３の内部の奥まった位置にシール構造（防水シール７、張出部３２、筐体３の内面部）が設けられているため、仮に、筐体外に露出した部分に高圧水が当たり、この露出部分において若干の変形や変位が生じても、防水シール７の近傍位置への影響は非常に小さくなるため、防水シール７の近傍では高いシール性が保たれることになる。しかも、被覆部１２を突き上げるような噴き返しが生じた場合、防水シール７の密着性をより高めるように力が加わるため、防水性の低下をより確実に防ぐことができる。
【００３５】
また、高圧水などに対する対策としては、特許文献２（特開２０１１−１６５７４８号公報）で開示される技術もある。この技術では、筐体の外面に形成された凹部内に呼吸フィルタを配置しており、この凹部と連通するように筐体外面に沿った通気溝を設けている。そして、凹部を閉塞するように遮蔽板を設けており、凹部内への直接の外力を遮蔽板によって防ぐと共に、凹部と外部空間との間での気体の出入りを通気溝によって可能としている。しかしながら、このような構成では、遮蔽板が必須となるため、部品点数の増加、組み付けの複雑化、或いはそれに伴うコストの増大が避けられず、更には、装置の大型化をも招き易くなる。これに対し、図１等で示す本構成では、このような遮蔽板等を用いずとも十分な防水性を確保することができるため、上述したデメリットが生じにくく、装置の大型化も抑えやすくなる。
【００３６】
また、本構成では、図１〜図３のように、フィルタ本体部３０側に形成された複数の被係合部４０が、筒状部３４の外周面３４ａよりも凹んだ凹部４０ａ，４０ｂ，４０ｃとして構成されており、複数の被係合部４０のいずれも、外周面３４ａの外側に突出しない構成となっている。そして、図１のように、フィルタ本体部３０にフィルタカバー部１０が組み付けられた状態では、フィルタカバー部１０の一部が押圧部２４として筐体３を外側から押圧し、押圧部２４と張出部３２との間に筐体３と防水シール７とが挟み込まれて保持されるようになっている。
このように被係合部４０が突出構造ではなく凹部構造となっているため、筒状部３４を筐体３の内部側から孔部５に挿し込む際には被係合部４０（凹部４０ａ，４０ｂ，４０ｃ）が挿入の邪魔になりにくく、筒状部３４の外径と孔部５の内径とが近いサイズ関係であっても筒状部３４を孔部５内に円滑に挿し込むことが可能となる。つまり、孔部５の内径を小さくし、筒状部３４の外周面３４ａと孔部５の内周面５ａとの間の隙間（クリアランス）を小さくしやすいため、液体の進入経路を狭め、多量の液体が隙間内に強い力で押し込まれるような事態を防ぐことができる。よって、防水シール７に強い水圧が加わることを確実に抑制することができる。
【００３７】
また、本構成では、筒状部３４の方向を上下方向とし、撥水膜５０が配置される側を上側とし、張出部３２が配置される側を下側としており、この定義において、筒状部３４は、筐体３の上面部３ａにおける被覆部１２の直下領域（即ち、上面部３ａのうち被覆部１２の直下に配置される部分であり、図３のように平面視したときに被覆部１２に隠れる部分）よりも上方に突出している。そして、撥水膜５０は、筐体３の上面部３ａにおける被覆部１２の直下領域よりも上位置に配置されている。このように、少なくとも被覆部１２の下方領域（即ち、撥水膜５０の付近）では、筐体３の上面部３ａが撥水膜５０よりも低位置となっているため、筐体３の上面部３ａに付着した液体が撥水膜５０の上面側に流れ込むことを抑制することができる。また、図４（Ａ）のように、撥水膜５０の上面５０ａが、筐体３の上面部３ａよりも高くなっているため、仮に矢印Ｆ１のように水が入り込んできたとしても、矢印Ｆ２のように撥水膜５０上から下方に流れ落ちやすくなる。よって、撥水膜５０の上面５０ａでの液溜りを抑制し、通気性、防水性をより高めやすくなる。更に言えば、図４（Ｂ）のように、筐体３の外面に付着した水滴Ｗが表面張力で保持されるときの突出高さをＨａとした場合、筐体３の上面部３ａから撥水膜５０の上面５０ａまでの高さＨ１がＨａよりも大きくなっていることが望ましい。このようにＨ１＞Ｈａの関係であれば、筐体３の外面に付着した液体が撥水膜５０上に、より流入しにくくなり、撥水膜５０上での液溜りをより一層抑制しやすくなる。
【００３８】
[第２実施形態]
次に、図５、図６等を参照して第２実施形態について説明する。
第２実施形態の電子制御装置２０１は、呼吸フィルタの構成のみが第１実施形態の呼吸フィルタ２と異なり、筐体については第１実施形態と同一の筐体３が用いられている。よって、電子制御装置２０１に用いられる筐体３の詳細な説明は省略する。
【００３９】
図５、図６で示す電子制御装置２０１は、防水構造を備えた筐体３に呼吸フィルタ２０２が取り付けられた構成となっている。筐体３には、第１実施形態と同様の孔部５が設けられており、この孔部５は、筐体３の外側に構成される外部空間側から筐体３の内側に構成される内部空間側へと続くような貫通孔となっている。なお、筐体３の内部に収容される回路基板やコネクタについては、第１実施形態と同様の構成となっている。
【００４０】
電子制御装置２０１で用いられる呼吸フィルタ２０２も、筐体３の通気性と防水性を両立するために設けられたものであり、主に、フィルタ本体部２３０と、フィルタカバー部２１０と、撥水膜５０と、防水シール７とによって構成されている。
【００４１】
フィルタ本体部２０３は、筒状に構成され且つ内部が通気路２３８として構成された筒状部２３４と、筒状部２３４の一端側に形成された被係合部２４０と、筒状部２３４の他端側において筒状部２３４の外周面２３４ａよりも張り出した形で形成された張出部２３２と、を備えている。そして、筐体３の内側から孔部５に対して筒状部２３４を挿し通す構造で配置されるようになっている。筒状部２３４に形成された被係合部２４０は、第１実施形態で用いた被係合部４０と同様の構成となっており、具体的には筒状部２３４の外周面２３４ａに形成された３つの凹部によって被係合部２４０が構成されている。なお、図５、図６では、被係合部２４０を構成する３つの凹部のうち、凹部２４０ａ，凹部２４０ｂのみを図示し、もう一つの凹部の図示は省略している。また、筒状部２３４の外周面２３４ａ（３つの凹部と、押圧部２４２以外の部分の外面）は、中心軸Ｃを円筒軸とする円筒面として構成され、筒状部２３４の内周面２３４ｂも、中心軸Ｃを円筒軸とする円筒面として構成されている。
【００４２】
更に、本構成では、筒状部２３４の外周面２３４ａから突出するように３つの押圧部２４２（押圧部２４２ａ，２４２ｂと図示しないもう一つの押圧部）が形成されている。これら３つの押圧部２４２は、３つの凹部２４０ａ，２４０ｂ，２４０ｃよりも下方側の位置であって、且つ筒状部２３４の上下方向中央位置よりも上寄りの位置に形成されている。そして、図５のような組付け状態では、３つの押圧部２４２が孔部５の上端部よりも上方位置（即ち、筐体３の外側の位置）に配置され、図５のように筐体３の上面部３ａによって支持されるようになっている。また、これら３つの押圧部２４２はいずれも、弾性変形可能且つ揺動可能に構成されており、外部操作が加えられていない自然状態では、いずれの押圧部２４２も、図５のようにある程度広がった状態で維持される。また、いずれの押圧部２４２も、先端側を外周面２３４ａ側に近づける弾性変形操作が可能となっており、３つの押圧部２４２の先端側が外周面２３４ａ側に近づけられた状態のときには、筐体３の内側から孔部５に対して筒状部２３４を挿し込むことができるようになっている。
【００４３】
なお、この例でも、フィルタ本体部２０３に形成された筒状部２３４が延びる方向（通気路２３８の方向）が上下方向であり、中心軸Ｃ（円筒軸）の方向が上下方向となっており、撥水膜５０が配置される側を上側とし、張出部２３２が配置される側を下側としている。また、この上下方向と直交する平面方向を水平方向としており、張出部２３２の上面２３２ａの向き（平面方向）は、水平方向となっている。
【００４４】
撥水膜５０は、第１実施形態で用いた撥水膜５０と同一のものであり、筒状部２３４の一端側（上端側）において通気路２３８を閉塞した構成で取り付けられる。具体的には、筒状部２３４の上端部２３４ｃにおいて通気路２３８を閉塞するように撥水膜５０が取り付けられている。なお、この構成でも、筒状部２３４は、筐体３の上面部３ａにおける被覆部２１２の直下領域（上面部３ａのうち、被覆部２１２の直下に位置する部分）よりも上方に突出している。そして、撥水膜５０は、筐体３の上面部３ａにおける被覆部２１２の直下領域よりも上位置に配置されている。
【００４５】
フィルタカバー部２１０は、撥水膜５０を覆う被覆部２１２と、被覆部２１２から延び出た構成をなす３つの延出部２２０と、それぞれの延出部２２０と一体的に形成されると共にフィルタ本体部２３０の被係合部２４０と係合する３つの係合部２２２と、を備えている。なお、被覆部２１２は、第１実施形態で用いた被覆部１２と同様の構成となっており、この被覆部２１２の下面２１２ｂから３つの延出部２２０ａ，２２０ｂ，２２０ｃがそれぞれ下方側に延びている。そして、各係合部２２２は、第１実施形態で用いた各係合部２２と同様の構成となっており、具体的には３つの延出部２２０ａ，２２０ｂ，２２０ｃのそれぞれに形成された突起として各係合部２２２ａ，２２２ｂ，２２２ｃが構成されている。
【００４６】
防水シール７は、第１実施形態で用いた防水シール７と同一のＯリングであり、図５のような組付け状態では、防水シール７は、上述した筒状部２３４を囲むように筒状部２３４の外周面２３４ａに沿って配置され、フィルタ本体部２３０の張出部２３２と筐体３の内面部３ｂとの間に挟み込まれた状態で保持される。
【００４７】
呼吸フィルタ２０２は、このように形成された各要素を組み付けてなるものであり、まず、筐体３の内側から孔部５に対して筒状部２３４を挿し通す構造でフィルタ本体部２３０が配置される。具体的には、図５のように、フィルタ本体部２３０に形成された筒状部２３４の上端部側が筐体３の上面部３ａよりも上方に突出し、筒状部２３４に形成された３つの被係合部２４０（凹部２４０ａ，２４０ｂ等）、及び３つの押圧部２４２（押圧部２４２ａ，２４２ｂと図示しないもう一つの押圧部）がいずれも孔部５の上端部よりも上方位置に配置される。そして、３つの押圧部２４２（押圧部２４２ａ，２４２ｂと図示しないもう一つの押圧部）がいずれも筐体３の上面部３ａによって支持され、この上面部３ａを押圧するように配置される。そして、このように筐体３の内側から孔部５に挿し込まれたフィルタ本体部２３０に対して外部空間側に配置されたフィルタカバー部２１０が組み付けられる。具体的には、孔部５の上端部よりも上方位置に配置された３つの凹部（凹部２４０ａ，２４０ｂと図示しないもう一つの凹部）のそれぞれに対して突起状の係合部２２２ａ，２２２ｂ，２２２ｃが嵌り込むことにより、フィルタカバー部２１０がフィルタ本体部２３０に固定される。
【００４８】
このようにフィルタ本体部２３０に対してフィルタカバー部２１０が組み付けられた状態では、フィルタ本体部２３０の一部をなす各押圧部２４２が筐体３を外側から押圧し、これらの押圧部２４２と、筐体３の内側に配置された張出部２３２との間に筐体３の壁部と防水シール７とが挟み込まれて保持される。具体的には、筐体３の内面部３ｂと張出部２３２との間に防水シール７が挟み込まれ、図５のように防水シール７が圧縮された状態で保持される。図５のように防水シール７が圧縮状態で保持されているときには、防水シール７の上部と筐体３の内面部３ｂとが密着し、防水シール７の下部と張出部２３２の上面２３２ａとが密着するようになっている。また、防水シール７の内周部は、筒状部２３４の外周面２３４ａと密着するようになっており、このような３位置での密着によって強固にシールされる。
【００４９】
以上のような第２実施形態の構成でも、第１実施形態と同様の効果が得られる。
また、図４（Ｂ）のように、筐体３の外面に付着した水滴Ｗが表面張力で保持されるときの突出高さをＨａとした場合、本構成でも、筐体３の上面部３ａから撥水膜５０の上面５０ａまでの高さＨ２（図５）がＨａよりも大きくなっていることが望ましい。このようにＨ２＞Ｈａの関係であれば、筐体３の外面に付着した液体が撥水膜５０上に、より流入しにくくなり、撥水膜５０の上面５０ａでの液溜りをより一層抑制しやすいため、通気性、防水性をより高めやすくなる。
【００５０】
[第３実施形態]
次に、図７等を参照して第３実施形態について説明する。
第３実施形態の電子制御装置３０１は、筐体３０３の構成のみが第１実施形態の筐体３と異なり、呼吸フィルタについては第１実施形態と同一の呼吸フィルタ２が用いられている。よって、電子制御装置３０１に用いられる呼吸フィルタ２の詳細な説明は省略する。
【００５１】
図７で示す電子制御装置３０１でも、防水構造を備えた筐体３０３に呼吸フィルタ２が取り付けられた構成となっている。この電子制御装置３０１で用いられる筐体３０３は、図７で示す太線の二点鎖線Ｙよりも上の部分（即ち、支持部３０４ａの周囲の段差部分）のみが第１実施形態で用いた筐体３と異なり、それ以外は筐体３と同一となっている。この筐体３０３にも、孔部５（図１）と同様の孔部３０５が形成されており、この孔部３０５は、筐体３０３の外側に構成される外部空間側から筐体３０３の内側に構成される内部空間側へと続くような貫通孔として構成されている。
【００５２】
電子制御装置３０１の筐体３０３は、孔部３０５の上端部に隣接すると共に押圧部２４からの押圧を受ける支持部３０４ａと、支持部３０４ａの周囲において支持部３０４ａよりも上位置に配置される上段部３０４ｂとを備えている。即ち、筐体３０３の上面部３０３ａは、支持部３０４ａと上段部３０４ｂとを有しており、被覆部１２の直下領域において、支持部３０４ａの上面と、上段部３０４ｂの上面とが段差状に構成されている。支持部３０４ａの上面は、水平方向の平坦面となっており、孔部３０５の上端部の開口領域の縁部が、支持部３０４ａの縁部となっている。また、上段部３０４ｂの上面は、水平方向の平坦面となっている。
【００５３】
電子制御装置３０１で用いられる呼吸フィルタ２は、第１実施形態で説明した呼吸フィルタ２（図１等）と同一のものであり、孔部３０５に対する呼吸フィルタ２の組付け構造は、第１実施形態で示した組付け構造（孔部５に対する呼吸フィルタ２の組付け構造）と同一となっている。つまり、第１実施形態で示した呼吸フィルタ２と同一の作用、効果が得られるものである。
【００５４】
図７で示す呼吸フィルタ２も、筐体３０３の通気性と防水性を両立するために設けられたものであり、主に、フィルタ本体部３０と、フィルタカバー部１０と、撥水膜５０と、防水シール７とによって構成されている。フィルタ本体部３０は、筒状に構成され且つ内部が通気路３８として構成された筒状部３４と、筒状部３４の一端側（上端側）に形成された被係合部４０と、筒状部３４の他端側（下端側）において筒状部３４の外周面３４ａよりも張り出した形で形成された張出部３２と、を備えている。そして、このフィルタ本体部３０は、筐体３０３の内側から孔部３０５に対して筒状部３４を挿し通す構造で配置されるようになっている。
【００５５】
なお、この例でも、フィルタ本体部３０に形成された筒状部３４が延びる方向（通気路３８の方向）が上下方向であり、中心軸Ｃ（円筒軸）の方向が上下方向となっている。そして、撥水膜５０が配置される側を上側とし、張出部３２が配置される側を下側としている。また、この上下方向と直交する平面方向を水平方向としており、張出部３２の上面３２ａの向き（平面方向）は、水平方向となっている。
【００５６】
撥水膜５０は、第１実施形態で用いた撥水膜５０と同一のものであり、筒状部３４の一端側（上端側）において通気路３８を閉塞した構成で取り付けられる。なお、この構成では、筒状部３４は、筐体３０３の上面部３０３ａにおける被覆部１２の直下領域よりも上方に突出している。そして、撥水膜５０は、筐体３０３の上面部３０３ａにおける被覆部１２の直下領域よりも上位置に配置されている。より具体的には、支持部３０４ａの全体及び上段部３０４ｂにおける被覆部１２の直下に配置される部分（平面視したときに被覆部１２に隠れる部分）よりも上方側に筒状部３４が突出している。そして、撥水膜５０は、被覆部１２の直下領域における支持部３０４ａ及び上段部３０４ｂのいずれよりも上位置に配置されている。
【００５７】
フィルタカバー部１０は、撥水膜５０を覆う被覆部１２と、被覆部１２から延び出た構成をなす延出部２０と、延出部２０と一体的に形成されると共にフィルタ本体部３０の被係合部４０と係合する係合部２２と、を備えている。そして、被覆部１２の下面部から３つの延出部２０ａ，２０ｂ，２０ｃがそれぞれ下方側に延びている。そして、係合部２２は、第１実施形態で用いた係合部２２と同様の構成となっており、具体的には３つの延出部２０ａ，２０ｂ，２０ｃのそれぞれに形成された突起として各係合部２２ａ，２２ｂ，２２ｃが構成されている（図２も参照）。
【００５８】
防水シール７は、第１実施形態で用いた防水シール７と同一のものであり、筒状部３４を囲むように環状に構成され、フィルタ本体部３０の張出部３２と筐体３０３の内面部３０３ｂとの間に挟み込まれる。
【００５９】
このように構成される呼吸フィルタ２では、図７のように、筐体３０３の内側から孔部３０５に対して筒状部３４を挿し通す構造でフィルタ本体部３０が配置される。具体的には、フィルタ本体部３０に形成された筒状部３４の上端部側が筐体３０３の上面部３０３ａよりも上方に突出し、筒状部３４に形成された各被係合部４０（図２で示す凹部４０ａ，４０ｂ，４０ｃ）が孔部５の上端部よりも上方位置に配置される。そして、このように筐体３０３の内側から孔部５に挿し込まれたフィルタ本体部３０に対して外部空間側に配置されたフィルタカバー部１０が組み付けられる。固定構造は第１実施形態と同様であり、孔部３０５の上端部よりも上方位置に配置された凹部４０ａ，４０ｂ，４０ｃのそれぞれに対して突起状の係合部２２ａ，２２ｂ，２２ｃが嵌り込むことにより、フィルタカバー部１０がフィルタ本体部３０に固定される。
【００６０】
このようにフィルタ本体部３０に対してフィルタカバー部１０が組み付けられた状態では、図７のように、フィルタカバー部１０の一部をなす各押圧部２４が筐体３０３の上面部３０３ａ（具体的には、支持部３０４ａ）によって支持され、全ての押圧部２４が支持部３０４ａを外側から押圧する。そして、これら押圧部２４と、筐体３０３の内側に配置された張出部３２との間に筐体３０３の壁部と防水シール７とが挟み込まれて保持される。具体的には、筐体３０３の内面部３０３ｂと張出部３２との間に防水シール７が挟み込まれ、図７のように防水シール７が圧縮された状態で保持される。図７のように防水シール７が圧縮状態で保持されているときには、防水シール７の上部と筐体３０３の内面部３０３ｂとが密着し、防水シール７の下部と張出部３２の上面３２ａとが密着するようになっている。また、防水シール７の内周部は、筒状部３４の外周面３４ａと密着するようになっており、このような３位置での密着によって強固にシールされる。
【００６１】
このように構成される第３実施形態の電子制御装置３０１でも、第１実施形態の電子制御装置１と同様の効果が得られる。
また、本構成では、筐体３０３において、孔部３０５の上端部に隣接すると共に押圧部２４からの押圧を受ける支持部３０４ａと、支持部３０４ａの周囲において支持部３０４ａよりも上位置に配置される上段部３０４ｂとが設けられ、支持部３０４ａの上面と、上段部３０４ｂの上面とが段差状に構成されている。このように構成されているため、各延出部２０に加わる外力を低減しやすくなり、特に、各押圧部２４付近に加わる外力の低減効果が大きくなる。例えば、図７で示す矢印Ｆ３のように、呼吸フィルタ２に対して側方から高圧水が供給された場合に、上段部３０４ｂよりも下側には強い力が加わりにくくなるため、フィルタカバー部１０や筒状部３４が変形しにくくなる。よって、図７のような自然状態に近い形状で維持されやすくなり、防水シール７の近傍において高い防水性を保ちやすくなる。
【００６２】
また、図４（Ｂ）と同様、筐体３０３の外面に付着した水滴Ｗが表面張力で保持されるときの突出高さをＨａとした場合、本構成では、筐体３０３の支持部３０４ａから撥水膜５０の上面５０ａまでの高さＨ４（図７）がＨａよりも大きくなっていることが望ましい。更には、筐体３０３の上段部３０４ｂから撥水膜５０の上面５０ａまでの高さＨ３（図７）がＨａよりも大きくなっていることが望ましい。このようにＨ４＞Ｈａの関係であれば、筐体３０３の外面に付着した液体が撥水膜５０に流入しにくくなり、撥水膜５０の上面５０ａでの液溜りをより一層抑制しやすいため、通気性、防水性をより高めやすくなる。更にＨ３＞Ｈａの関係であれば、この効果が一層高まる。
【００６３】
［他の実施形態]
本発明は上記記述及び図面によって説明した実施形態に限定されるものではなく、例えば次のような実施形態も本発明の技術的範囲に含まれる。
【００６４】
上記実施形態では、電子制御装置がエンジンＥＣＵとして構成された例を示したが、いずれの実施形態の思想も、ボディ制御ＥＣＵや、ブレーキ制御ＥＣＵ，エアバック制御ＥＣＵなど、他の車載用電子制御装置に適用できる。
【００６５】
上記実施形態では、筐体に呼吸フィルタを１つのみ設けた例を示したが、筐体に呼吸フィルタが２以上設けられていてもよい。
【００６６】
上記実施形態では、筒状部に形成された被係合部、及び延出部と一体的に形成された係合部を例示したが、開示した被係合部と係合部の組み合わせはあくまで一例であり、互いに固定され得る構造であればよい。例えば、被係合部を凸状の構造とし、係合部を凹状の構造としてもよい。
【符号の説明】
【００６７】
１，２０１，３０１…電子制御装置
２，２０２…呼吸フィルタ
３，３０３…筐体
５，３０５…孔部
７…防水シール
１０，２１０…フィルタカバー部
２４，２４２…押圧部
３０，２３０…フィルタ本体部
【図１】
0006330684.tif 000002
【図２】
0006330684.tif 000003
【図３】
0006330684.tif 000004
【図４】
0006330684.tif 000005
【図５】
0006330684.tif 000006
【図６】
0006330684.tif 000007
【図７】
0006330684.tif 000008
【図８】
0006330684.tif 000009
【図９】
0006330684.tif 000010